(57)【要約】【課題】非接触ＩＣチップが付与されている冊子において、ＩＣカードを貼付するためのスペースをあらかじめ確保することなく、また、従来の冊子製造工程を変更することなく、大容量の個人情報が記録可能なＩＣユニットを、冊子の中央ページのノド空き部に貼付可能とし、貼付した後においても、冊子形態に影響を及ぼさないＩＣ冊子を提供する。【解決手段】非接触ＩＣチップとアンテナと接着部からなるＩＣユニットを構成し、前記接着部は、前記ＩＣユニットの一辺の外側に、一端を固定した蝶番状として、その内側に接着層により、容易に、冊子の中身ページのノド空き部に貼付することが可能となる。さらに、前記ＩＣユニットを、冊子の綴じ糸が露出している中央ページのノド空き部に貼付することで、糸を解した中身ページの差し替えによる偽造、改ざんを防止することが可能となる。【選択図】図４
2005153342.tif 000002
【特許請求の範囲】
【請求項１】
ＩＣチップとアンテナと接着部からなるＩＣユニットを、冊子のノド空き部に貼付したことを特徴とする冊子。
【請求項２】
前記接着部が、ＩＣユニットの一つの辺の外側に、一端を固定された蝶番状であり、内側に粘着層を有することを特徴とする請求項１記載の冊子。
【請求項３】
冊子に固有の識別情報が、穿孔により付与されていることを特徴とする請求項１乃至請求項２に記載の冊子。
【請求項４】
前記固有の識別情報の穿孔が、ＩＣユニットの一部を貫通または途中まで穿孔されていることを特徴とする請求項１乃至請求項３記載の冊子。
【発明の詳細な説明】
【技術分野】
【０００１】
本発明は、パスポート、預金通帳、学生証、社員証などの身分を証明しようとする書類としての冊子に関してなされたものである。
【背景技術】
【０００２】
従来、パスポートのように身分証明機能を有する冊子は、表見返しに本人確認のための顔写真や個人情報が印字され、中身には査証等の必要事項が記入できるページが設けられている。これまでは、人による記載事項の確認を行うために必要な構成のみであったが、最近は機械的な認識の必要性が高まっており、非接触にて冊子内の情報の読み取りを行える機能が要望されてきている。
【０００３】
【特許文献１】特開２０００−１５３６８１号
【０００４】
そこで、ＩＣカードのような大容量の記憶媒体を、冊子に搭載することが種々提案されている。例えば特開２０００−１５３６８１号に記載されたような、外部と情報の授受が可能なＩＣチップ、アンテナを有するＩＣユニットが設けられたＩＣカードに画像を形成し、このカードを冊子の所定位置に貼り付けたことを特徴とするＩＣ冊子は、ＩＣチップと冊子とを別々に製造することで製造工程中に作業で壊れることを防止するものとされている。
【発明の開示】
【発明が解決しようとする課題】
【０００５】
しかし、上記ＩＣ冊子には、ＩＣカードを貼付するためのスペースをあらかじめ確保しておく必要があり、そのためには、従来の冊子製造工程を大幅に変更することが求められ、新たな設備投資、設備開発、材料調達、製造ラインのための空間確保等コスト増の要因が大きくなる。本発明は、このような課題を回避するためになされたものであり、大容量の個人情報が記録可能なＩＣユニットを冊子の形態に影響を及ぼさないように、冊子の中央ページのノド空き部に貼付可能とするＩＣユニット付き冊子を提供するものである。なお、「ノド空き部」とは、製本の分野における専門用語で「ノド」あるいは「ノド部」ともいい、書籍等のとじ目の余白を意味する。
【０００６】
また、ＩＣユニットを差し替えて変造することを防止する目的で、ユニットを冊子から取り外そうとすると、アンテナを糸綴じ部と一体にしてあるのでアンテナが壊れてＩＣへの記録、読み取りが出来なくなる。
【０００７】
さらに、ＩＣユニットの表裏を冊子の他のデータページと同様の連続模様で印刷しておき、変造防止機能を高めることが可能である。
【課題を解決するための手段】
【０００８】
以上のような課題を解決するために、本発明は、以下のように構成される。
【０００９】
本発明は、ＩＣチップとアンテナと接着部からなるＩＣユニットを、冊子のノド空き部に貼付したことを特徴とする冊子である。
【００１０】
本発明は、前記接着部が、ＩＣユニットの一つの辺の外側に一端を固定された蝶番状であり、その内側に粘着層を有することを特徴とする冊子である。
【００１１】
本発明は、冊子に固有の識別情報が、穿孔により付与されており、ＩＣチップとアンテナと接着部を有するＩＣユニットを、冊子のノド空き部に貼付したことを特徴とする冊子である。
【００１２】
本発明は、冊子に固有の識別情報が、穿孔により付与されており、ＩＣチップとアンテナと透明な接着部からなり、接着部がＩＣユニットの一つの辺の外側に一端を固定された蝶番状であって、その内側に粘着層を有しており、そのＩＣユニットを、冊子のノド空き部に貼付した冊子において、固有の識別情報の穿孔がＩＣカードの一部を貫通又は途中まで穿孔されていることを特徴とする冊子である。
【発明の効果】
【００１３】
本発明は、ＩＣカードを貼付するためのスペースをあらかじめ確保しておく必要がなく、大容量の個人情報が記録可能なＩＣユニットを、冊子の形態に影響を及ぼさずに貼付可能とするＩＣユニット及びＩＣユニット付き冊子を提供する効果がある。さらに、ＩＣユニットを冊子のノド空き部に貼付することにより、糸をほどいて冊子の中身ページを差し替えることや、改ざんすることを防ぐことが可能となる。また、ＩＣユニットを冊子の見返しのノド空き部に貼付することにより、見返し部に記載された個人の顔画像や個人を特定する固有情報の改ざんを防止する効果がある。
【発明を実施するための最良の形態】
【００１４】
以下、この発明の一実施例を添付図面に基づいて詳細に説明する。図１は、本発明であるＩＣユニットを表した断面図である。ＩＣユニット部１は、接着部２とＩＣカードを含む構成である。接着部２は、ＩＣカードのある一つの辺１ａの外側に、蝶番のようにその辺１ａに一端を固定した形態である。接着部２の内側の面には接着層２ａが設けられている。
【００１５】
図４に、ＩＣチップ６とアンテナ７を支持基材上８に形成したＩＣカード９を図示する。指示基材８の材料は塩化ビニル、ポリエチレン等の樹脂でもよいし、剛性の高い紙でもよい。ＩＣカードは、ＩＣユニット中に隠蔽してしまうので、表裏には特段の模様、画像等は設けずにブランク（白紙）のカードとすることもできるし、管理のための必要な事項としての番号等を印刷したものでもよい。
【００１６】
ＩＣユニット部１の構成は、ＩＣカード９を接着部２と同一の基材を用いて覆い、ＩＣユニット部１を構成してもよいし、別の基材を用いてＩＣユニット部１と接着部２を後から接合してもよい。
【００１７】
図２は、ＩＣユニットを貼付する前の冊子の状態を表した断面図である。中身用紙３と、中身用紙３が複数枚綴じられた中身用紙積層体４が、表紙部５と貼り合わされ、冊子を構成している。
【００１８】
図３は、本発明であるＩＣユニットを、冊子に貼付した状態を表した断面図である。ＩＣユニット部１を、接着部２によって冊子のノド空き部に貼付している。貼付位置は、表紙部５と中身用紙３の間であると、中身用紙積層体４の使用を妨げることなく好ましいが、中身用紙積層体４の間に貼付してもよい。
【００１９】
又は、冊子の綴じ糸が露出している冊子の中央ページのノド空き部に貼付した場合、糸をほどいて中身ページを差し替え、改ざんすることが困難となるので、偽造防止に有効である。
【００２０】
また、接着部２を透明にした場合、表紙部５及び中身用紙３における接着部２が接着された部分に印刷等により施されている記載事項の視認を阻害することがないので好ましいが、本発明は、この限りでない。
【００２１】
また、ＩＣユニットを貼付した冊子に、冊子番号、所有者の個人情報等、冊子固有の識別情報を穿孔により付与することで、改ざんをより困難にすることが可能となる。穿孔は、カード部分を完全に貫通しても、カードの途中までであっても、改ざんを防止する効果は何ら変わるものではない。
【００２２】
なお、図示していないが、冊子に穿孔を施す手段については、本出願人が先に出願した特願２００３−３１０３５９号に記載したレーザー加工機で可能であり、穿孔の形状、大きさ、配列等、特に限定しなくとも、本発明の効果に何ら影響を及ぼすものではない。
【図面の簡単な説明】
【００２３】
【図１】本発明に用いるＩＣユニットを表した断面図である。
【図２】ＩＣユニットを貼付する前の冊子の状態を表した断面図である。
【図３】本発明のＩＣユニットを、冊子に貼付した状態を表した断面図である。
【図４】本発明のＩＣユニットを、冊子の中央ページに貼付し、固有の識別情報の穿孔が途中まで穿孔されている断面図である。
【図５】本発明のＩＣユニットを、冊子の中央ページに貼付し、固有の識別情報を穿孔によって付与した冊子の例である。
【図６】ＩＣカードの構成を示した平面図である。
【符号の説明】
【００２４】
１    ＩＣユニット部 
１ａ  接着部を固定するＩＣユニットの辺
２    接着部
２ａ  粘着層
３    中身用紙
４    中身用紙積層体
５    表紙部
６    ＩＣチップ
７    アンテナ
８    支持基材
９    ＩＣカード
１０  固有の識別情報の穿孔
【図１】
2005153342.tif 000003
【図２】
2005153342.tif 000004
【図３】
2005153342.tif 000005
【図４】
2005153342.tif 000006
【図５】
2005153342.tif 000007
【図６】
2005153342.tif 000008